(57)【要約】  【課題】バッテリ上がりを防止するため過放電防止機能を搭載した車載用冷蔵庫において、過放電防止機能の動作による使用者への食品安全性を高める。  【解決手段】バッテリ７を電源とし、熱電素子等で構成された冷却手段２を有し、過放電時は冷却運転を停止する過放電防止機能とからなる車載用冷蔵庫において、過放電防止機能により冷蔵庫の運転が停止し、運転復帰後、庫内の温度が上がっていたことを知らせる手段として、冷蔵庫電源投入時に庫内温度を検知し、その温度から冷蔵庫が長時間運転停止していたかどうかを判定する制御回路５と、それを知らせる表示装置８と、それを確認後表示を手動で解除する表示解除手段９を備えた車載用冷蔵庫とすることにより、使用者は、過放電防止機能により冷蔵庫の運転が停止して庫内の食品が傷んでいるかもしれないことを表示を見て認識することで使用者への食品安全性を高める。【選択図】図１
2005300093.tif 000002
【特許請求の範囲】
【請求項１】
バッテリを電源とし、庫内用ヒートシンクと庫外用ヒートシンクで挟まれた熱電素子等で構成された冷却手段と、前記庫内用ヒートシンクと熱交換した空気を循環させる庫内ファンと、前記庫外用ヒートシンクと熱交換した空気を循環させる庫外ファンと、庫内の温度を検出する庫内温度検出器と、前記冷却手段の駆動電圧を供給する可変電源回路と、庫内温度に応じて可変電源回路の電圧を変え、庫内温度を所定温度に制御する制御回路と、バッテリからの入力電圧を検知する入力電圧検知回路と、入力電圧を検知し過放電状態かどうかを判定し、過放電時は冷却運転を停止する過放電防止機能とからなる車載用冷蔵庫において、過放電防止機能により冷蔵庫の運転が停止し、運転復帰後、庫内の温度が上がっていたことを知らせる手段として、冷蔵庫電源投入時に庫内温度を検知し、その温度から冷蔵庫が長時間運転停止していたかどうかを判定する制御回路と、冷蔵庫が長時間運転停止していたことを知らせる表示装置と、冷蔵庫が長時間運転停止していたことを確認後、表示を解除する制御手段を備えた車載用冷蔵庫。
【請求項２】
過放電防止機能により冷蔵庫の運転が停止し、運転復帰後、庫内の温度が上がっていたことを知らせる手段として、冷蔵庫電源投入時に庫内温度を検知し、その温度から冷蔵庫が長時間運転停止していたかどうかを判定する制御回路と、冷蔵庫が長時間運転停止していたことを知らせる音声装置と、冷蔵庫が長時間運転停止していたことを確認後、音声を解除する制御機能を備えた請求項１に記載の車載用冷蔵庫。
【請求項３】
過放電防止機能により冷蔵庫の運転が停止し、運転復帰後、庫内の温度が上がっていたことを知らせる手段として、冷蔵庫への電源供給停止と連動して停止設定となる冷蔵庫の運転と停止を設定するスイッチと、冷蔵庫運転設定時に冷蔵庫運転設定となっていることを知らせる表示装置を備えた請求項１に記載の車載用冷蔵庫。
【請求項４】
過放電防止機能により冷蔵庫の運転が停止し、運転復帰後、庫内の温度が上がっていたことを知らせる手段として、冷蔵庫電源投入に連動して、冷蔵庫電源投入したことを知らせる表示装置と、冷蔵庫電源投入したことを確認後、表示を解除する制御機能を備えた請求項１に記載の車載用冷蔵庫。
【請求項５】
過放電防止機能により冷蔵庫の運転が停止し、運転復帰後、庫内の温度が上がっていたことを知らせる手段として、冷蔵庫電源投入に連動して、冷蔵庫電源投入したことを知らせる音声装置と、冷蔵庫電源投入したことを確認後、音声を解除する制御機能を備えた請求項１に記載の車載用冷蔵庫。
【発明の詳細な説明】
【技術分野】
【０００１】
本発明は、バッテリあがりを防止する過放電防止機能を搭載した車載用冷蔵庫に関するものである。
【背景技術】
【０００２】
従来この種の車載用冷蔵庫は、商品としての性格上エンジンを切った時も冷却運転を継続する必要がある。そこで問題となるのがバッテリ上がりであり、バッテリ上がりを防止するため過放電防止機能を搭載した車載用冷蔵庫が商品化されている（特許文献１参照）。
【０００３】
図６は特許文献１に記載された従来のバッテリ上がりを防止するため過放電防止機能を搭載した車載用冷蔵庫である。図６に示すように、バッテリを電源７とし、庫内用ヒートシンクと庫外用ヒートシンクで挟まれた熱電素子等で構成された冷却手段２と、庫内の温度を検出する庫内温度検出器３と、前記冷却手段の駆動電圧を供給する電源回路４と、庫内温度に応じて電源回路の電圧を変え、庫内温度を所定温度に制御する制御回路５ｂと、バッテリからの入力電圧を検知する入力電圧検知回路６と、入力電圧を負荷電流に応じた電圧で補正し、補正した入力電圧で過放電状態かどうか判定し、過放電時は冷却運転を停止する過放電防止機能５ｂから構成されている。
【特許文献１】特開２００１−１７４１２０号公報
【発明の開示】
【発明が解決しようとする課題】
【０００４】
しかしながら、上記従来の構成では、過放電防止機能により冷蔵庫の運転を停止することで、庫内の温度が上昇し、庫内の食品が傷んだとして、その後バッテリ電圧が復帰して冷蔵庫運転が再開し庫内が冷えた場合、冷蔵庫の使用者は食品が傷んだことに気が付かずそれを食べて健康を害するという可能性がある。
【０００５】
本発明は上記従来の課題を解決するもので、過放電防止機能により冷蔵庫の運転が停止いた際、それによって庫内の食品が傷んでいるかもしれないことを冷蔵庫の運転復帰後、使用者に知らせることを目的としたものである。
【課題を解決するための手段】
【０００６】
上記従来の課題を解決するために、本発明の車載用冷蔵庫は、冷蔵庫の電源投入時に庫内温度を検知し、その温度から冷蔵庫が長時間運転停止していたかどうかを判定し、それを知らせる表示装置を備えたものである。
【０００７】
これによって、冷蔵庫の使用者は、過放電防止機能により冷蔵庫の運転が停止して庫内の食品が傷んでいるかもしれないことを表示を見て認識し、食品が傷んでいることを知らずに食べることを防ぐことができる。
【０００８】
また、本発明の車載用冷蔵庫は、冷蔵庫の電源投入時に庫内温度を検知し、その温度から冷蔵庫が長時間運転停止していたかどうかを判定し、それを知らせる音声装置を備えたものである。
【０００９】
これによって、冷蔵庫の使用者は、過放電防止機能により冷蔵庫の運転が停止して庫内の食品が傷んでいるかもしれないことを、音を聞いて認識し、食品が傷んでいることを知らずに食べることを防ぐことができる。
【００１０】
また、本発明の車載用冷蔵庫は、冷蔵庫への電源供給停止と連動して停止設定となる、冷蔵庫の運転と停止を設定するスイッチと、冷蔵庫運転設定時にそのことを知らせる表示装置を備えたものである。
【００１１】
これによって、過放電防止機能により冷蔵庫の運転が停止して、その後バッテリ電圧が復帰しても、スイッチを入れないと冷蔵庫が運転せず、又表示装置でもって冷蔵庫が運転していないことを確認できるので、食品が傷んでいることを知らずに食べることを防ぐことができる。
【００１２】
また、本発明の車載用冷蔵庫は、冷蔵庫電源投入すると、それを知らせる表示装置を備えたものである。
【００１３】
これによって、冷蔵庫の使用者は、過放電防止機能により冷蔵庫の運転が停止して庫内の食品が傷んでいるかもしれないことを表示を見て認識し、食品が傷んでいることを知らずに食べることを防ぐことができる。
【００１４】
また、本発明の車載用冷蔵庫は、冷蔵庫電源投入すると、それを知らせる音声装置を備えたものである。
【００１５】
これによって、冷蔵庫の使用者は、過放電防止機能により冷蔵庫の運転が停止して庫内の食品が傷んでいるかもしれないことを音を聞いて認識し、食品が傷んでいることを知らずに食べることを防ぐことができる。
【発明の効果】
【００１６】
過放電防止機能により冷蔵庫の運転が停止した際、それによって庫内の食品が傷んでいるかもしれないことを冷蔵庫の運転復帰後、使用者に知らせることで食品が傷んでいることを知らずに食べることを防ぐことができる。
【発明を実施するための最良の形態】
【００１７】
請求項１に記載の発明は、バッテリを電源とし、熱電素子等で構成された冷却手段と、庫内の温度を検出する庫内温度検出器と、前記冷却手段の駆動電圧を供給する電源回路と、庫内温度に応じて電源回路の電圧を変え、庫内温度を所定温度に制御する制御回路と、バッテリからの入力電圧を検知する入力電圧検知回路と、入力電圧を検知し過放電状態かどうかを判定し、過放電時は冷却運転を停止する過放電防止機能とからなる車載用冷蔵庫において、過放電防止機能により冷蔵庫の運転が停止し、運転復帰後、庫内の温度が上がっていたことを知らせる手段として、冷蔵庫電源投入時に庫内温度を検知し、その温度から冷蔵庫が長時間運転停止していたかどうかを判定する制御回路と、それを知らせる表示装置と、それを確認後表示を手動で解除する制御手段を備えた車載用冷蔵庫とすることにより、冷蔵庫の使用者は、過放電防止機能により冷蔵庫の運転が停止して庫内の食品が傷んでいるかもしれないことを表示を見て認識し、食品が傷んでいることを知らずに食べることを防ぐことができる。
【００１８】
請求項２に記載の発明は、請求項１に記載の発明の過放電防止機能により冷蔵庫の運転が停止し、運転復帰後、庫内の温度が上がっていたことを知らせる手段を冷蔵庫電源投入時に庫内温度を検知し、その温度から冷蔵庫が長時間運転停止していたかどうかを判定する制御回路と、それを知らせる音声装置と、それを確認後音声を手動で解除する制御機能を備えた車載用冷蔵庫とすることにより、冷蔵庫の使用者は、過放電防止機能により冷蔵庫の運転が停止して庫内の食品が傷んでいるかもしれないことを音を聞いて認識し、食品が傷んでいることを知らずに食べることを防ぐことができる。
【００１９】
請求項３に記載の発明は、請求項１に記載の発明の過放電防止機能により冷蔵庫の運転が停止し、運転復帰後、庫内の温度が上がっていたことを知らせる手段として、冷蔵庫への電源供給停止と連動して停止設定となる、冷蔵庫の運転と停止を設定するスイッチと、冷蔵庫運転設定時にそのことを知らせる表示装置を備えた車載用冷蔵庫とすることにより、過放電防止機能により冷蔵庫の運転が停止して、その後バッテリ電圧が復帰しても、スイッチを入れないと冷蔵庫が運転せず、又表示装置でもって冷蔵庫が運転していないことを確認できるので、食品が傷んでいることを知らずに食べることを防ぐことができる。
【００２０】
請求項４に記載の発明は、請求項１に記載の発明の過放電防止機能により冷蔵庫の運転が停止し、運転復帰後、庫内の温度が上がっていたことを知らせる手段として、冷蔵庫電源投入に連動して、それを知らせる表示装置と、それを確認後表示を手動で解除する制御機能を備えた車載用冷蔵庫とすることにより、冷蔵庫の使用者は、過放電防止機能により冷蔵庫の運転が停止して庫内の食品が傷んでいるかもしれないことを表示を見て認識し、食品が傷んでいることを知らずに食べることを防ぐことができる。
【００２１】
請求項５に記載の発明は、請求項１に記載の発明の過放電防止機能により冷蔵庫の運転が停止し、運転復帰後、庫内の温度が上がっていたことを知らせる手段として、冷蔵庫電源投入に連動して、それを知らせる音声装置と、それを確認後音声を手動で解除する制御機能を備えた請求項１に記載の車載用冷蔵庫とすることにより、過放電防止機能により冷蔵庫の運転が停止した際、それによって庫内の食品が傷んでいるかもしれないことを冷蔵庫の運転復帰後、使用者に知らせることで食品が傷んでいることを知らずに食べることを防ぐことができる。
【００２２】
以下、本発明による冷蔵庫の実施の形態について、図面を参照しながら説明する。なお、この実施の形態によってこの発明が限定されるものではない。
【００２３】
（実施の形態１）
図１は、本発明の実施の形態による冷蔵庫のブロック図である。
【００２４】
図１おいて、１は車載用冷蔵庫、２は熱電素子などによって構成される冷却手段、３は庫内温度を検出する庫内温度検出器、４は電源回路で冷却手段２に印加する電圧を供給する。５はマイクロコンピュータ等からなる過放電防止機能と初期温度判定手段および表示装置制御機能を備えた制御回路であり、庫内温度検出器３からの庫内温度情報を入力し、ＲＯＭ（図示せず）に予め書き込まれたプログラムに従い、庫内温度を所定温度に制御するように可変電源回路４に冷却手段２に印加する電圧指令を出す。６は入力電圧検知回路でバッテリ７からの入力電圧を検出し、検出電圧を制御回路５に入力する。制御回路５は過放電状態かどうかを判定する。８は表示装置で、制御回路５からの指令によって動作し、冷蔵庫が運転停止して庫内の食品が傷んでいることを使用者に知らせる。９は表示解除手段で、表示装置８が動作して使用者が認識した後、その表示を解除するための操作手段である。
【００２５】
以上のように構成された車載用冷蔵庫について、以下その動作、作用を説明する。
【００２６】
まず、食品を庫内に入れた本実施の形態の車載用冷蔵庫１を使用する自動車のエンジンが停止し、バッテリ７の電圧が低下すると、入力電圧検知回路６を介して制御回路５が過放電状態を判別して、冷蔵庫の運転を停止させる。それが長時間続いた結果、庫内の温度が上昇し、食品が傷んだとする。その後、自動車のエンジンが起動してバッテリ７の電圧が回復すると、入力電圧検知回路６を介して制御回路５が正常状態を判別して、冷蔵庫の運転を再開させる。そのときの庫内の温度を庫内温度検出器３が検知し、所定の温度より高い場合、制御回路５は長時間の冷蔵庫の運転停止により食品が傷んだと判断して、表示装置８を駆動させて、使用者にそのことを知らせる。使用者はその表示を見て食品が傷んだことを認知した上で、表示解除手段９で表示を解除させる。
【００２７】
以上のように本実施の形態では、表示装置によって冷蔵庫内の食品が傷んだことを使用者に知らせて、使用者がそれを食べることを防ぐことができる。
【００２８】
（実施の形態２）
図２は、本発明の実施の形態による冷蔵庫のブロック図である。
【００２９】
図２おいて、１は車載用冷蔵庫、２は熱電素子などによって構成される冷却手段、３は庫内温度を検出する庫内温度検出器、４は電源回路で冷却手段２に印加する電圧を供給する。５はマイクロコンピュータ等からなる過放電防止機能と初期温度判定手段および表示装置制御機能を備えた制御回路であり、庫内温度検出器３からの庫内温度情報を入力し、ＲＯＭ（図示せず）に予め書き込まれたプログラムに従い、庫内温度を所定温度に制御するように可変電源回路４に冷却手段２に印加する電圧指令を出す。６は入力電圧検知回路でバッテリ７からの入力電圧を検出し、検出電圧を制御回路５に入力する。制御回路５は過放電状態かどうかを判定する。１０は音声装置で、制御回路５からの指令によって動作し、冷蔵庫が運転停止して庫内の食品が傷んでいることを使用者に知らせる。１１は音声解除手段で、音声装置１０が動作して使用者が認識した後、その音声を解除するための操作手段である。
【００３０】
以上のように構成された車載用冷蔵庫について、以下その動作、作用を説明する。
【００３１】
まず、食品を庫内に入れた本実施の形態の車載用冷蔵庫１を使用する自動車のエンジンが停止し、バッテリ７の電圧が低下すると、入力電圧検知回路６を介して制御回路５が過放電状態を判別して、冷蔵庫の運転を停止させる。それが長時間続いた結果、庫内の温度が上昇し、食品が傷んだとする。その後、自動車のエンジンが起動してバッテリ７の電圧が回復すると、入力電圧検知回路６を介して制御回路５が正常状態を判別して、冷蔵庫の運転を再開させる。そのときの庫内の温度を庫内温度検出器３が検知し、所定の温度より高い場合、制御回路５は長時間の冷蔵庫の運転停止により食品が傷んだと判断して、音声装置１０を駆動させて、使用者にそのことを知らせる。使用者はその音声を見て食品が傷んだことを認知した上で、音声解除手段１１で音声を解除させる
以上のように本実施の形態では、音声装置によって冷蔵庫内の食品が傷んだことを使用者に知らせて、使用者がそれを食べることを防ぐことができる。
【００３２】
（実施の形態３）
図３は、本発明の実施の形態による冷蔵庫のブロック図である。
【００３３】
図３おいて、１は車載用冷蔵庫、２は熱電素子などによって構成される冷却手段、３は庫内温度を検出する庫内温度検出器、４は電源回路で冷却手段２に印加する電圧を供給する。５ａはマイクロコンピュータ等からなる過放電防止機能備えた制御回路であり、庫内温度検出器３からの庫内温度情報を入力し、ＲＯＭ（図示せず）に予め書き込まれたプログラムに従い、庫内温度を所定温度に制御するように可変電源回路４に冷却手段２に印加する電圧指令を出す。６は入力電圧検知回路でバッテリ７からの入力電圧を検出し、検出電圧を制御回路５に入力する。制御回路５は過放電状態かどうかを判定する。１２は冷蔵庫の運転停止切替スイッチであり、バッテリ７に冷蔵庫をつないだ後、このスイッチを操作することで冷蔵庫は運転を開始し、過放電検知によって冷蔵庫の運転が停止した場合、自動的に停止設定となる。８は表示装置で、制御回路５からの指令によって動作し、冷蔵庫が運転していることを使用者に知らせる。
【００３４】
以上のように構成された車載用冷蔵庫について、以下その動作、作用を説明する。
【００３５】
まず、食品を庫内に入れた本実施の形態の車載用冷蔵庫１を使用する自動車のエンジンが停止し、バッテリ７の電圧が低下すると、入力電圧検知回路６を介して制御回路５が過放電状態を判別して、冷蔵庫の運転を停止させ、表示装置８は運転表示を消す。それが長時間続いた結果、庫内の温度が上昇し、食品が傷んだとする。その後、自動車のエンジンが起動してバッテリ７の電圧が回復しても、運転停止切替スイッチ１２を操作しないと冷蔵庫は運転せず、表示装置８は運転表示しない。使用者はその表示を見て食品が傷んだことを認知した上で、運転切替スイッチ１２を操作し冷蔵庫の運転を再開させる。
【００３６】
以上のように本実施の形態では、表示装置によって冷蔵庫内の食品が傷んだことを使用者に知らせて、使用者がそれを食べることを防ぐことができる。
【００３７】
（実施の形態４）
図４は、本発明の実施の形態による冷蔵庫のブロック図である。
【００３８】
図１おいて、１は車載用冷蔵庫、２は熱電素子などによって構成される冷却手段、３は庫内温度を検出する庫内温度検出器、４は電源回路で冷却手段２に印加する電圧を供給する。５ａはマイクロコンピュータ等からなる過放電防止機能および表示装置制御機能を備えた制御回路であり、庫内温度検出器３からの庫内温度情報を入力し、ＲＯＭ（図示せず）に予め書き込まれたプログラムに従い、庫内温度を所定温度に制御するように可変電源回路４に冷却手段２に印加する電圧指令を出す。６は入力電圧検知回路でバッテリ７からの入力電圧を検出し、検出電圧を制御回路５に入力する。制御回路５は過放電状態かどうかを判定する。８は表示装置で、制御回路５からの指令によって動作し、冷蔵庫が運転停止して庫内の食品が傷んでいることを使用者に知らせる。９は表示解除手段で、表示装置８が動作して使用者が認識した後、その表示を解除するための操作手段である。
【００３９】
以上のように構成された車載用冷蔵庫について、以下その動作、作用を説明する。
【００４０】
まず、食品を庫内に入れた本実施の形態の車載用冷蔵庫１を使用する自動車のエンジンが停止し、バッテリ７の電圧が低下すると、入力電圧検知回路６を介して制御回路５が過放電状態を判別して、冷蔵庫の運転を停止させる。それが長時間続いた結果、庫内の温度が上昇し、食品が傷んだとする。その後、自動車のエンジンが起動してバッテリ７の電圧が回復すると、入力電圧検知回路６を介して制御回路５が正常状態を判別して、冷蔵庫の運転を再開させる。そのとき冷蔵庫の運転開始に連動して表示装置８を駆動させて、使用者に冷蔵庫が停止していたことを知らせる。使用者はその表示を見て食品が傷んだことを認知した上で、表示解除手段９で表示を解除させる。
【００４１】
以上のように本実施の形態では、表示装置によって冷蔵庫内の食品が傷んだことを使用者に知らせて、使用者がそれを食べることを防ぐことができる。
【００４２】
（実施の形態５）
図５は、本発明の実施の形態による冷蔵庫のブロック図である。
【００４３】
図１おいて、１は車載用冷蔵庫、２は熱電素子などによって構成される冷却手段、３は庫内温度を検出する庫内温度検出器、４は電源回路で冷却手段２に印加する電圧を供給する。５ａはマイクロコンピュータ等からなる過放電防止機能および表示装置制御機能を備えた制御回路であり、庫内温度検出器３からの庫内温度情報を入力し、ＲＯＭ（図示せず）に予め書き込まれたプログラムに従い、庫内温度を所定温度に制御するように可変電源回路４に冷却手段２に印加する電圧指令を出す。６は入力電圧検知回路でバッテリ７からの入力電圧を検出し、検出電圧を制御回路５に入力する。制御回路５は過放電状態かどうかを判定する。１０は音声装置で、制御回路５からの指令によって動作し、冷蔵庫が運転停止して庫内の食品が傷んでいることを使用者に知らせる１１は音声解除手段で、音声装置１０が動作して使用者が認識した後、その表示を解除するための操作手段である。
【００４４】
以上のように構成された車載用冷蔵庫について、以下その動作、作用を説明する。
【００４５】
まず、食品を庫内に入れた本実施の形態の車載用冷蔵庫１を使用する自動車のエンジンが停止し、バッテリ７の電圧が低下すると、入力電圧検知回路６を介して制御回路５が過放電状態を判別して、冷蔵庫の運転を停止させる。それが長時間続いた結果、庫内の温度が上昇し、食品が傷んだとする。その後、自動車のエンジンが起動してバッテリ７の電圧が回復すると、入力電圧検知回路６を介して制御回路５が正常状態を判別して、冷蔵庫の運転を再開させる。そのとき冷蔵庫の運転開始に連動して音声装置１０を駆動させて、使用者に冷蔵庫が停止していたことを知らせる。使用者はその音声を聞いて食品が傷んだことを認知した上で、音声解除手段１１で音声を解除させる。
【００４６】
以上のように本実施の形態では、音声装置によって冷蔵庫内の食品が傷んだことを使用者に知らせて、使用者がそれを食べることを防ぐことができる。
【産業上の利用可能性】
【００４７】
以上のような本発明にかかる車載用冷蔵庫は、電源電圧劣化のために冷蔵庫が停止して庫内の食品が傷んだ場合、それを使用者に知らせることが可能となるもので、電源事情が悪い地域での床置き型冷蔵庫にも適用できる。
【図面の簡単な説明】
【００４８】
【図１】本発明の実施の形態１における車載用冷蔵庫のブロック図
【図２】本発明の実施の形態２における車載用冷蔵庫のブロック図
【図３】本発明の実施の形態３における車載用冷蔵庫のブロック図
【図４】本発明の実施の形態４における車載用冷蔵庫のブロック図
【図５】本発明の実施の形態５における車載用冷蔵庫のブロック図
【図６】従来の車載用冷蔵庫のブロック図
【符号の説明】
【００４９】
１    車載用冷蔵庫
２    冷却手段
３    庫内温度検出器
４    電源回路
５    制御回路
６    入力電圧検知回路
７    バッテリ
８    表示装置
９    表示解除手段
１０  音声装置
１１  音声解除手段
１２  運転停止切替スイッチ
【図１】
2005300093.tif 000003
【図２】
2005300093.tif 000004
【図３】
2005300093.tif 000005
【図４】
2005300093.tif 000006
【図５】
2005300093.tif 000007
【図６】
2005300093.tif 000008